(57)【要約】【課題】ＴＯＳＡ、ＲＯＳＡの波長選択機能を一体化可能にすることで、波長可変光トランシーバを小型化し、またその波長可変範囲を拡大する。【解決手段】リング共振器（２１０）中に、第１のＡＷＧ（２１１）と、第２のＡＷＧ（２１２）と、第１のＡＷＧと第２のＡＷＧとの間に第１および第２のＡＷＧで合分波される波長ごとに設けた光増幅器のアレー（２１３）と、第１の光パワースプリッタ（２１４）と、第２の光パワースプリッタ（２１５）と、第１の光パワースプリッタと第２の光パワースプリッタとの間に設けた光フィルタ（２１６）および第１の光アイソレータ（２１７）とを配置する。外部からの光を第２の光アイソレータ（２２０）と第１の光パワースプリッタ（２１４）を介してリング共振器（２１０）に入力し、リング共振器（２１０）と光増幅器で発振した光を第２の光パワースプリッタ（２１５）から出力する。【選択図】図２
2008191503.tif 000002
【特許請求の範囲】
【請求項１】
光導波路を介してリング状に配置された共振器中に、
第１のＡＷＧ（アレー導波路回折格子）と、
第２のＡＷＧと、
前記第１と第２のＡＷＧで合分波される波長ごとに光増幅器を配置した光増幅器アレーと、
外部からの受信波長光を当該共振器中に入力するための第１の光パワースプリッタと、
当該共振器と前記光増幅器で発振した波長光を外部に取り出すための第２の光パワースプリッタおよび第１の光アイソレータと、
光フィルタとが配置され、
かつ、前記第１の光パワースプリッタのポートに配置されて外部からの受信波長光を当該共振器中に入力するための第２の光アイソレータを具備することを特徴とする波長可変光送受信装置。
【請求項２】
前記第１と第２のＡＷＧの代わりに単一のＡＷＧを配置し、
前記単一のＡＷＧで分波された各波長を当該ＡＷＧの分波側の空きポートに結合し、当該ＡＷＧで分波された波長ごとに前記光増幅器アレーの各光増幅器を配置していることを特徴とする請求項１に記載の波長可変光送受信装置。
【請求項３】
前記第２の光パワースプリッタのポートに配置された光変調器および光受光器を有することを特徴とする請求項１または２に記載の波長可変光送受信装置。
【請求項４】
単一のＡＷＧと、
前記単一のＡＷＧで合分波される波長ごとに光増幅器を配置し、該光増幅器の片端面だけを高反射率コーティングした光増幅器アレーと、
前記高反射率コーティングを施されていない前記光増幅器の端面側に配置した光フィルタとで、共振器を構成し、
かつ、前記共振器中に外部からの受信波長光を入力するための第１と第２の光パワースプリッタと、
前記共振器と前記光増幅器で発振した波長光を外部に取り出すための第１の光アイソレータと、
前記第１の光パワースプリッタのポートに配置されて前記共振器中に外部からの受信波長光を入力するための第２の光アイソレータと
を具備することを特徴とする波長可変光送受信装置。
【請求項５】
前記共振器と前記光増幅器とで発振した波長光を変調するための光変調器と、
前記第１の光パワースプリッタのポートに配置された受光器と
を具備することを特徴とする請求項４に記載の波長可変光送受信装置。
【請求項６】
前記光フィルタは、前記ＡＷＧ（対応する前記第１と第２のＡＷＧ、または前記単一のＡＷＧ）の自由スペクトル域（ＦＳＲ）の１つの合分波透過特性と一致する合分波透過特性をもつことを特徴とする請求項１ないし５のいずれかに記載の波長可変光送受信装置。
【請求項７】
前記光フィルタ（以下、第１の光フィルタと称する）とは別に、前記受信波長光を入力する前記第２の光アイソレータの直前または直後の位置に、前記ＡＷＧ（対応する前記第１と第２のＡＷＧ、または前記単一のＡＷＧ）のＦＳＲの１つの合分波透過特性と一致する合分波透過特性をもつ第２の光フィルタを配置し、
かつ前記第１の光フィルタの合分波透過特性を前記ＡＷＧの上記とは別の合分波透過特性の１つ（例えば、上記の隣の合分波透過特性）と一致するように設定して、
前記第１と第２の光フィルタにより送信(または発振)波長帯と受信波長帯とを分離させるように構成したことを特徴とする請求項１ないし５のいずれかに記載の波長可変光送受信装置。
【発明の詳細な説明】
【技術分野】
【０００１】
本発明は、波長多重光通信システムの波長可変光送受信装置に関する。
【背景技術】
【０００２】
図１は、それぞれ、波長可変光源１１１を搭載したＴＯＳＡ（Transmitter Optical Sub Assembly）１１０、波長可変フィルタ１２１と受光器１２２を搭載したＲＯＳＡ（Receiver Optical Sub Assembly）１２０、及び電子回路１３０とを備えた波長可変光送受信装置（以下、波長可変光トランシーバと称する)１００の構成を示す。既存の P-to-P （Peer-to-Peer）のＷＤＭ(波長分割多重)システムでは、一般に、異なる複数の波長に対応した光トランシーバを適用して、波長多重光通信システムを構成している。これに対し、その異なる複数の波長に対応した光トランシーバを適用する代わりに、波長可変光トランシーバを適用する場合は、光トランシーバを単一品種化でき、バックアップ用の光トランシーバも含めて、光トランシーバを波長数分用意する必要がなくなり、波長多重通信システムの保守・運用性が向上することとなる。なお、Ｐ-to-Ｐ のＷＤＭシステムでは、ＷＤＭ用のＭＵＸ（マルチプレックス）、ＤＭＵＸ（デマルチプレックス）に波長可変光トランシーバを接続するため、波長可変光トランシーバのＲＯＳＡには波長可変フィルタを搭載する必要はない。
【０００３】
また、パワースプリッタで構成された既存のＰＯＮ（パッシブ光ネットワーク）伝送路でＷＤＭ−ＰＯＮを実現する上でも、ＯＮＵ（Optical Network Unit;光端末回線装置）を単一品種化して、保守・運用性を向上させることは重要であり、上記の波長可変光トランシーバは必須の光サブシステムとなる(非特許文献１) 。ただ、この場合には、ＯＮＵの受信回路に波長を選択するための光フィルタ（波長可変フィルタ）が必要となる。
【０００４】
【非特許文献１】H.Suzuki et al.,“A Remote Wavelength Setting Procedure based on Wavelength Sense Random Access (λ−RA）for Power-splitter-based WDM-PON”，ＥＣＯＣ2006 We3. P.157
【非特許文献２】Elizabeth Brauce, “Tunable Lasers”, ＩＥＥＥ  ＳＰＥＣＴＲＵＭ,  February 2002 pp.35-39
【非特許文献３】Bardia Oezeshki, et al., “Tunable Lasers”, ＩＥＥＥ  ＣＩＲＣＵＩＴＳ＆ＤＥＶＩＣＥＳ  ＭＡＧＡＺＩＮＥ,  September 2003 pp.36-40
【非特許文献４】Dan Sadot et al., “Tunable Optical Filters for Dense WDM Networks”,ＩＥＥＥ  Communications Magazine, December 1998 pp.50-55
【発明の開示】
【発明が解決しようとする課題】
【０００５】
図１に示す波長可変光トランシーバは、ＴＯＳＡ１１０に搭載された波長可変光源１１１と、ＲＯＳＡ１２０に搭載された波長可変フィルタ１２１を制御することで、所望の波長を送受信することができる。しかしながら、図１のＴＯＳＡ１１０に搭載する波長可変光源１１１と、ＲＯＳＡ１２０に搭載する波長可変フィルタ１２１に関して、その波長可変範囲やサイズ等に課題がある。
【０００６】
具体的には、波長可変光源１１１としては、アレー型ＤＦＢ−ＬＤ（Distributed Feed Back  Laser Diode;分布帰還型レーザダイオード）光源や、ＤＢＲ−ＬＤ（Distributed Bragg Reflector  Laser Diode; 分布ブラッグ反射型レーザダイオード)光源、あるいは外部共振型ＬＤ（片端面をＡＲ(anti-reflective;反射防止)コーティングしたＦＰ−ＬＤ(Fabry-Perot  Laser Diode;ファブリ・ペロー型レーザダイオード)と外部共振器から構成されたＬＤ）光源がある（非特許文献２，３）が、アレー型ＤＦＢ−ＬＤ光源ではその光出力を合波するための合波器と外部変調器を集積化していること、ＤＢＲ−ＬＤ光源では複数のグレーティングと外部変調器を集積化していること、外部共振型ＬＤ光源では、外部共振器とＦＰ−ＬＤと外部共振器をハイブリッドあるいは空間系で結合しているため、これらの従来の波長可変光源１１１は、デバイス全体が大きくなり、ＳＦＰ(Small Form Factor Pluggable)光トランシーバモジュールやＸＦＰ(10 Gigabit Small Form Factor Pluggable) 光トランシーバモジュールを構成する小型なＴＯＳＡ１１０に搭載することが困難である。
【０００７】
また、波長可変フィルタ１２１としては、ファイバ−ブラックグレーティング、ファブリ−ペロエタロン、リング共振器を温度変化させるタイプ、あるいはリング共振器を機械的に駆動するタイプ、誘電体多層膜を機械的に駆動するタイプ、ＡＷＧ（Array Waveguide Grating;アレー導波路回折格子）と光ＳＷ（スイッチ）を組み合わせたタイプ、音響光学素子や電気光学素子を電気的に駆動するタイプがある（非特許文献４）が、これらいずれのタイプの波長可変フィルタも、波長可変範囲及び透過特性を含め、ＳＦＰやＸＦＰを構成する小型なＲＯＳＡに搭載する有望な光デバイスではない。
【０００８】
以上説明したように、上述した従来の波長可変光トランシーバでは、波長可変機能（１１１，１２１）がそれぞれＴＯＳＡ１１０と、ＲＯＳＡ１２０とに分離しているため、上記のような課題があった。
【０００９】
本発明は、上記のような課題に鑑みてなされたもので、その目的は波長可変光送受信装置(波長可変光トランシーバ)の波長可変範囲の拡大と小型化を実現することにある。
【課題を解決するための手段】
【００１０】
上記目的を達成するため、請求項１の波長可変光送受信装置の発明は、光導波路を介してリング状に配置された共振器中に、第１のＡＷＧ（アレー導波路回折格子）と、第２のＡＷＧと、前記第１と第２のＡＷＧで合分波される波長ごとに光増幅器を配置した光増幅器アレーと、外部からの受信波長光を当該共振器中に入力するための第１の光パワースプリッタと、当該共振器と前記光増幅器で発振した波長光を外部に取り出すための第２の光パワースプリッタおよび第１の光アイソレータと、光フィルタとが配置され、かつ、前記第１の光パワースプリッタのポートに配置されて外部からの受信波長光を当該共振器中に入力するための第２の光アイソレータを具備することを特徴とする。
【００１１】
ここで、前記第１と第２のＡＷＧの代わりに単一のＡＷＧを配置し、前記単一のＡＷＧで分波された各波長を当該ＡＷＧの分波側の空きポートに結合し、当該ＡＷＧで分波された波長ごとに前記光増幅器アレーの各光増幅器を配置していることを特徴とすることができる。
【００１２】
また、前記第２の光パワースプリッタのポートに配置された光変調器および光受光器を有することを特徴とすることができる。
【００１３】
上記目的を達成するため、請求項４の波長可変光送受信装置の発明は、単一のＡＷＧと、前記単一のＡＷＧで合分波される波長ごとに光増幅器を配置し、該光増幅器の片端面だけを高反射率コーティングした光増幅器アレーと、前記高反射率コーティングを施されていない前記光増幅器の端面側に配置した光フィルタとで、共振器を構成し、かつ、前記共振器中に外部からの受信波長光を入力するための第１と第２の光パワースプリッタと、前記共振器と前記光増幅器で発振した波長光を外部に取り出すための第１の光アイソレータと、前記第１の光パワースプリッタのポートに配置されて前記共振器中に外部からの受信波長光を入力するための第２の光アイソレータとを具備することを特徴とする。
【００１４】
ここで、前記共振器と前記光増幅器とで発振した波長光を変調するための光変調器と、前記第１の光パワースプリッタのポートに配置された受光器とを具備することを特徴とすることができる。
【００１５】
さらに、上記した本発明において、前記光フィルタは、前記ＡＷＧ（対応する前記第１と第２のＡＷＧ、または前記単一のＡＷＧ）の自由スペクトル域（ＦＳＲ：Free Spectrum Range）の１つの合分波透過特性と一致する合分波透過特性をもつことを特徴とすることができる。
【００１６】
また、前記光フィルタ（以下、第１の光フィルタと称する）とは別に、前記受信波長光を入力する前記第２の光アイソレータの直前または直後の位置に、前記ＡＷＧ（対応する前記第１と第２のＡＷＧ、または前記単一のＡＷＧ）のＦＳＲの１つの合分波透過特性と一致する合分波透過特性をもつ第２の光フィルタを配置し、かつ前記第１の光フィルタの合分波透過特性を前記ＡＷＧの上記とは別の合分波透過特性の１つ（例えば、上記の隣の合分波透過特性）と一致するように設定して、前記第１と第２の光フィルタにより送信(発振)波長帯と受信波長帯とを分離させるように構成したことを特徴とすることができる。
【発明の効果】
【００１７】
上記構成のように、本発明は、光増幅作用を備えたＷＤＭ用光スイッチを用いて光共振器を構成し、そのＷＤＭ用光スイッチ中の１つの光増幅器をオンすることで、発振波長と受信波長を同時に選択可能にし、これより波長可変機能を有する光源と受光器を実現しているので、波長可変光送受信装置の波長可変範囲を拡大することができるとともに、デバイスの小型・経済化を達成できる。
【発明を実施するための最良の形態】
【００１８】
以下、図面を参照して、本発明の好ましい実施の形態を詳細に説明する。
【００１９】
（第１実施形態）
図２は、本発明の第１実施形態における波長可変光送受信装置(以下、波長可変光トランシーバと称する)２００の光デバイス部分の構成を示す。図２に示すように、光導波路を介してリング状に配置されたリング共振器２１０中に、第１のＡＷＧ（アレー導波路回折格子）２１１と、第２のＡＷＧ２１２と、第１のＡＷＧと第２のＡＷＧで合分波される波長ごとにＳＯＡ（半導体光増幅器）を配置したＳＯＡアレー２１３と、外部からの受信波長をリング共振器中に入力するための第１の光パワースプリッタ２１４と、リング共振器とＳＯＡアレーで発振した波長を外部に取り出すための第２の光パワースプリッタ２１５と、第１の光パワースプリッタと第２のパワースプリッタとの間に設けた光フィルタ２１６と、第１の光パワースプリッタと第２のパワースプリッタとの間に設けた第１の光アイソレータ２１７とを配置している。
【００２０】
外部からの光(受信波長)を第２の光アイソレータ２２０と第１の光パワースプリッタ２１４を介してリング共振器２１０に入力し、リング共振器２１０とＳＯＡアレー２１３で発振した光(送信波長)を第２の光パワースプリッタ２１５から出力する。第２の光パワースプリッタ２１５のポートには光変調器２３０と光受光器２４０が配置されており、発振した波長を光変調器２３０で変調して外部に出力するとともに、外部から第２の光アイソレータ２２０等を通じて受信した受信波長を光受光器２４０で受光する。
【００２１】
受信波長をリング共振器２１０に入力する第１の光パワースプリッタ２１４のポートには、受信波長とは逆回りにリング共振器２００を伝搬する発振波長がそのポートに出力されないようにするため、第２の光アイソレータ２２０が配置されている。
【００２２】
ＳＯＡアレー２１３中の任意のＳＯＡをオンすることで、リング共振器２１０中に導かれた複数の受信波長のうち、任意の波長λｊが選択される。オンされたＳＯＡは、リング共振器中の利得媒質として動作し、リング共振器中の第１の光アイソレータ２１７により、受信波長λｊとは、逆回りに発振する波長λｉを生み出す。また、オンされたＳＯＡは受信波長λｊに対して、発振波長λｉにより利得がクランプされたプリアンプとして作用するため、ＳＯＡの従来の技術課題であるパターン効果によるアイ開口劣化を抑圧できる。
【００２３】
リング共振器２１０中に配置された光フィルタ２１６の透過特性は、図３に示すように、ＡＷＧ２１１，２１２のＦＳＲ（自由スペクトル域）の透過特性の１つと一致するように設定しているので、光フィルタ２１６は、同図に示すように、送信（発振）波長帯と受信波長帯とを分離することができる。
【００２４】
（第２実施形態）
本発明の第１実施形態で用いた上記の２つのＡＷＧ（アレー導波路回折格子）２１１と２１２を１つにした構成例を本発明の第２実施形態として図４に示す。図４では、波長可変光トランシーバ２００のリング共振器２１０中に、ＡＷＧ２１８を１個だけ配置し、ＡＷＧ２１８で分波された受信波長の各波長をこのＡＷＧの分波側の空きポートに結合し、このＡＷＧ２１８で分波された波長ごとにＳＯＡ(光増幅器)を設けたＳＯＡアレー２１３を配置している。このＡＷＧ２１８において、分波側の空きポートを有する部分（すなわち、図で上側部分）は、図２の第１実施形態の第１のＡＷＧ２１１に相当し、また分波側にＳＯＡアレー２１３と接続するポートを有する部分（すなわち、図で下側部分）は、図２の第１実施形態の第２のＡＷＧ２１２に相当している。その他の構成は、図２の第１実施形態の構成と同様であり、図２のリング共振器２１０と同様なリング共振器が構成されている。
【００２５】
以上のような構成であるので、外部からの光(受信波長)は第２の光アイソレータ２２０と第１の光パワースプリッタ２１４を介してリング共振器のＡＷＧ２１８に入力し、ＡＷＧ２１８とＳＯＡアレー２１３で発振した光(送信波長)は第２の光パワースプリッタ２１５から出力する。また、リング共振器で発振した波長は光変調器２３０で変調されて外部に出力するとともに、外部から第２の光アイソレータ２２０等を通じて受信した受信波長は光受光器２４０で受光される。
【００２６】
ＳＯＡアレー２１３中の任意のＳＯＡをオンすることで、リング共振器のＡＷＧ２１８中に導かれた複数の受信波長のうち、任意の波長λｊが選択される。オンされたＳＯＡは、リング共振器中の利得媒質として動作し、リング共振器中の第１の光アイソレータ２１７により、受信波長λｊとは、逆回りに発振する波長λｉを生み出す。また、オンされたＳＯＡは受信波長λｊに対して、発振波長λｉにより利得がクランプされたプリアンプとして作用するため、ＳＯＡの従来の技術課題であるパターン効果によるアイ開口劣化を抑圧できるということは第１実施形態と同様である。
【００２７】
また、第１実施形態と同様に、本実施形態においても、リング共振器中に配置された光フィルタ２１６の透過特性は、図３に示すように、ＡＷＧ２１８のＦＳＲの透過特性の１つと一致するように設定しているので、光フィルタ２１６は、同図に示すように、送信（発振）波長帯と受信波長帯とを分離することができる。
【００２８】
（第３実施形態）
図５は本発明の第３実施形態における波長可変光トランシーバ３００の光デバイス部分の構成を示す。本発明の第３実施形態では、ＡＷＧ３１８で合分波される波長ごとにＳＯＡ（半導体光増幅器）を配置し、かつそれらＳＯＡからなるＳＯＡアレー３１３の片端面を高反射率コーティング３１４し、ＳＯＡアレー３１３の高反射率コーティングを施されていない他端面側に第２の光パワースプリッタ３１５と光フィルタ３１６を配置する。第２の光パワースプリッタ３１５は受信波長帯を透過し、送信波長帯を反射する特性を有する。光フィルタ３１６は受信波長帯と送信波長帯を図３で既述したように分離し、送信波長帯のみを透過する特性を有する。これら高反射率コーティング３１４、ＡＷＧ３１８と、第２の光パワースプリッタ３１５と、光フィルタ３１６とでファブリペロー共振器３１０を構成する。
【００２９】
ファブリペロー共振器３１０中に、外部からの受信波長（光）を入力するための第１の光パワースプリッタ３１４と上記の第２の光パワースプリッタ３１５を配置する。第１の光パワースプリッタ３１４の一方のポートには、第１の光アイソレータ３２０と受光器３４０を配置する。第２の光パワースプリッタ３１５は、第１のパワースプリッタ３１４とＡＷＧ３１８の間であって、かつＡＷＧ３１８と光フィルタ３１６間である位置に配置する。また、ファブリペロー共振器３１０とＳＯＡアレー３１３とで発振した波長を変調するための光変調器３３０と第２の光アイソレータ３１７を配置する。
【００３０】
本発明の第３実施形態が、前述した本発明の第１実施形態と第２実施形態と違う点は、共振器構造がリング共振器からファブリペロー共振器になっていることである。本第３実施形態の動作及び、光フィルタ３１６の透過特性は、前述した第１実施形態と同様である。
【００３１】
すなわち、外部からの光(受信波長)は、第２の光アイソレータ３２０と第１の光パワースプリッタ３１４および第２の光パワースプリッタ３１５を介してファブリペロー共振器３１０のＡＷＧ３１８に入力し、ＡＷＧ３１８と高反射率コーティング３１４を施されたＳＯＡアレー３１３とで発振した光(送信波長)は第２の光パワースプリッタ３１５に出力する。さらに、ファブリペロー共振器で発振した波長は光フィルタ３１６を通り、光変調器３３０で変調されてから、第１の光アイソレータ３１７を通じて外部に出力する。また、外部から第２の光アイソレータ３２０等を通じて受信した受信波長は、第１の光パワースプリッタ３１４を介して光受光器３４０で受光される。
【００３２】
ＳＯＡアレー３１３中の任意のＳＯＡをオンすることで、ファブリペロー共振器のＡＷＧ３１８中に導かれた複数の受信波長のうち、任意の波長λｊが選択される。オンされたＳＯＡは、ファブリペロー共振器中の利得媒質として動作し、第２の光パワースプリッタ３１５と光フィルタ３１６と上記の高反射率コーディング３１４とにより、波長λｉを生み出す。また、オンされたＳＯＡは受信波長λｊに対して、発振波長λｉにより利得がクランプされたプリアンプとして作用するため、ＳＯＡの従来の技術課題であるパターン効果によるアイ開口劣化を抑圧できる。
【００３３】
（第４実施形態）
図６は第４の実施形態で用いる光フィルタの特性を示し、図７から図９は本発明の第４の実施形態の光回路構成を示す。
【００３４】
本発明の第４の実施形態は、図７から図９に示すように、上述の本発明の第１実施形態から第３実施形態の構成において、受信波長を入力する第２の光アイソレータ２２０または３２０の直前あるいは直後の位置に、図６に示すようなＡＷＧ（２１１と２１２、あるいは２１８、あるいは３１８）のＦＳＲの１つの透過特性と一致する透過特性をもつ光フィルタ４１０（以下、第２の光フィルタと称する）を追加配置する。さらに、共振器中に配置された前述の光フィルタ２１６または３１６（以下、第１の光フィルタと称する）の透過特性を、図６に示すように、ＡＷＧの上記とは別の透過特性の１つと一致するように設定し、送信（発振）波長帯と受信波長帯とを分離する。図６において、符号Ａは、ＡＷＧの周回特性で、隣の特性を選択するように、光フィルタの透過特性をシフトし、送信および受信波長帯をシフトすることで、波長可変範囲を拡大することを示している。
【００３５】
図３と図６の相違は、ＳＯＡアレー２１３または３１３のＳＯＡの利得プロファイルが、ＡＷＧのＦＳＲの４つ以上の透過特性をカバーする場合、２つの上記の第１と第２の光フィルタが互いに同期して、その透過特性をシフトすることで、送受信波長帯を拡大し、波長可変範囲を増大できることである。受信波長を入力するポートに配置された第２の光フィルタ４１０は、ＡＷＧのＦＳＲにより、１周期ずれた波長が所望の受信波長と混在して、共振器中に入力されることを防ぐ役割を果たしている。
【００３６】
また、受信信号（光）のフレームのオーバヘッド等に書き込まれた受信波長情報（波長がλｊであること）に対応した光フィルタの設定情報を、受信器のメモリ等(図示しない)（本メモリには、あらかじめ、受信情報に対応した光フィルタ設定情報が書き込まれているものとする）から読み取り、その設定情報に従って２つの上記第１と第２の光フィルタを制御（調整）することで、これら２つの光フィルタを同期させることが可能である。
【００３７】
（他の実施形態）
上記では、本発明の好適な実施形態を例示して説明したが、本発明の実施形態は上記例示に限定されるものではなく、特許請求の範囲に記載の範囲内であれば、その構成部材等の置換、変更、追加、個数の増減、形状の設計変更等の各種変形は、全て本発明の実施形態に含まれる。
【００３８】
例えば、本発明の第１実施形態から第４実施形態は、ＰＬＣ（石英系プレーナ光波回路）等の導波路と光半導体デバイス（ＡＷＧとＳＯＡ）、あるいはＰＬＣ等の導波路とＡＷＧと光半導体デバイス（ＳＯＡ）とをハイブリッド集積化すること、あるいは光半導体で導波路とすべての光デバイスを集積化することで実現可能である。
【００３９】
また、本発明の第１実施形態から第４実施形態において、ペルチェ素子(熱電冷却素子)やマイクロヒータなどの温度可変デバイスによりＡＷＧとＳＯＡの温度を変化させることで、発振波長と受信波長を変化させ、波長可変範囲を増大させることも可能である。
【図面の簡単な説明】
【００４０】
【図１】従来の波長可変光トランシーバの構成図である。
【図２】本発明の第１の実施形態の波長可変光トランシーバの光モジュール部分の構成図である。
【図３】本発明の第１の実施形態における送信波長と受信波長の波長配置を説明する特性図である。
【図４】本発明の第２の実施形態の波長可変光トランシーバの光モジュール部分の構成図である。
【図５】本発明の第３の実施形態の波長可変光トランシーバの光モジュール部分の構成図である。
【図６】本発明の第４の実施形態における送信波長と受信波長の波長配置を説明する特性図である。
【図７】図２の受信波長を入力するポートに光フィルタを配置した本発明の第４の実施形態における波長可変光トランシーバの光モジュール部分の構成図である。
【図８】図４の受信波長を入力するポートに光フィルタを配置した本発明の第４の実施形態における波長可変光トランシーバの光モジュール部分の構成図である。
【図９】図５の受信波長を入力するポートに光フィルタを配置した本発明の第４の実施形態における波長可変光トランシーバの光モジュール部分の構成図である。
【符号の説明】
【００４１】
１００  従来の波長可変光トランシーバ
１１０  ＴＯＳＡ（Transmitter Optical Sub Assembly；送信器光サブアッセンブリ）
１１１  波長可変光源
１２０  ＲＯＳＡ（Receiver Optical Sub Assembly；受信器光サブアッセンブリ）
１２１  波長可変フィルタ
１２２  受光器
１３０  電子回路
２００，３００  本発明の波長可変光トランシーバ
２１０，３１０  リング共振器
２１１  第１のＡＷＧ（アレー導波路回折格子）
２１２  第２のＡＷＧ
２１３，３１３  ＳＯＡ（半導体光増幅器）アレー
２１４，３１４  第１の光パワースプリッタ
２１５，３１５  第２の光パワースプリッタ
２１６，３１６  光フィルタ(第１の光フィルタ)
２１７，３１７  第１の光アイソレータ
２１８，３１８  単一のＡＷＧ
２２０，３２０  第２の光アイソレータ
２３０，３３０  光変調器
２４０，３４０  受光器
３１４  高反射率コーティング
４１０  第２の光フィルタ
【図１】
2008191503.tif 000003
【図２】
2008191503.tif 000004
【図３】
2008191503.tif 000005
【図４】
2008191503.tif 000006
【図５】
2008191503.tif 000007
【図６】
2008191503.tif 000008
【図７】
2008191503.tif 000009
【図８】
2008191503.tif 000010
【図９】
2008191503.tif 000011